(57)【要約】【課題】簡素な構成で、組み付け容易性も確保しつつ、光洩れを有効に抑制できる照明装置を提供する。【解決手段】組み付け時に、ケース３に対して側方から保持部材３２を接近させると、上方の水平板３２ｂがケース３の本体３１の上面に係合した後に滑動し、これに沿って下方の水平板３２ｂが、折り曲げられた反射シート５の保持部５ｂをたたみ始め、更に反射シート５の保持部５ｂをガイドとしてスムーズに挿入を行うことができ、そして保持部５ｂを介して弾性体６を圧縮し始める。保持部材３２の垂直板３２ａが、反射シート５の固定部５ａに当接する位置にくると、保持部５ｂは第１主面１１とほぼ平行になり、下方の水平板３２ｂが適切な付勢力で弾性体６を圧縮変形させ、且つ反射シート７が第１主面１１に密着するようになる。使用時に、ＬＥＤ２から出射して下方に向かい、反射シート５で反射した後、弾性体６に入射した光は、ここで吸収されるので、洩れ光となることがなく、照明の品質が保たれる。【選択図】図４
2014146529.tif 000002
【特許請求の範囲】
【請求項１】
光源と、
前記光源から出射された光を入射する入射面と、前記入射面から入射した光を出射する第１主面と、前記第１主面に対向し光路偏向手段を形成した第２主面とを有する導光板と、
前記光源と前記導光板を保持する筐体と、
前記筐体と前記導光板の前記第１主面との間に渡って設けられた反射部材と、
前記反射部材と前記導光板との間に配置され、前記第１主面に当接する面を備え，遮光機能を持つ弾性体と、
前記筐体に対して前記反射部材を取り付ける為の保持部材と、を有し、
前記保持部材は、前記弾性体を前記第１主面に対して押圧するように前記反射部材を付勢する付勢部と、前記筐体に係合することによって前記反射シートと前記第１主面との間隔を調整できるようになっている係合部とを有することを特徴とする照明装置。
【請求項２】
前記光源は、発光部と基板とを有し、前記筐体は、端部が折り曲げられた板材を含み、前記折り曲げられた端部の内側面に前記基板を取り付けており、前記反射部材はシート状であって、その一端側を前記折り曲げられた端部の外側面に取り付けていることを特徴とする請求項１に記載の照明装置。
【請求項３】
前記保持部材は、前記第１主面に沿って延在し前記反射シートを付勢する前記付勢部としての第１面部と、前記第２主面に沿って延在し前記筐体に係合する前記係合部としての第２面部と、前記第１面部と前記第２面部とを連結する連結部とを有することを特徴とする請求項１又は２に記載の照明装置。
【請求項４】
前記弾性体は、前記反射部材に固定されていることを特徴とする請求項１〜３のいずれかに記載の照明装置。
【請求項５】
前記弾性体と前記導光板との間に、前記導光板から入射した光を反射する反射層を設けたことを特徴とする請求項１〜４のいずれかに記載の照明装置。
【請求項６】
前記光源は、複数のＬＥＤチップを含むことを特徴とする請求項１〜５のいずれかに記載の照明装置。
【請求項７】
前記光路偏向手段は、複数の拡散ドットから形成されてなることを特徴とする請求項１〜６のいずれかに記載の照明装置。
【発明の詳細な説明】
【技術分野】
【０００１】
本発明は、照明装置に関し、例えば、住宅や店舗等の空間演出で使用される照明器具に用いられると好適な照明装置に関する。
【背景技術】
【０００２】
従来から、板状導光板の端面に、線状または直線上に配列された光源を配置し、端面である入射面から導光板内に光源の光を入射し、導光板内を導光させ、入射端面と隣接し対向する２面のいずれかに光取り出し手段を設け、この光取り出し手段により導光板内を導光する光を少しずつ外部に射出し、結果として面状発光を行わせる、所謂、エッジライトタイプの照明装置が知られている。この導光板を用いたエッジライトタイプの照明装置は、液晶モニターのバックライトとして多く用いられてきたが、このようなバックライトを照明装置に転用できれば、薄形でデザイン性に優れた照明装置を提供できる。
【０００３】
ここで、特許文献１には、導光板の側縁に配置した点光源からの光を、導光板の正面で出射させる照明装置が開示されている。特許文献１の導光板では、出射面における側縁近傍に遮光部材を設けることで光洩れを抑制している。特に、遮光部材を反射部材とした場合、導光板から洩れ出た光の一部を導光板に戻すことができるので照明効率を高くすることができる。しかしながら、特許文献１には、どのようにして遮光部材を設けるか具体的な開示がない。
【先行技術文献】
【特許文献】
【０００４】
【特許文献１】特許第3799749号明細書
【特許文献２】特開2003-346535号公報
【特許文献３】特許第4438539号明細書
【特許文献４】特開2001-184924号公報
【発明の概要】
【発明が解決しようとする課題】
【０００５】
これに対し特許文献２には、導光板の側縁に配置した冷陰極型蛍光ランプからの光を、導光板の正面で出射させる面状光源装置が開示されている。特許文献２によれば、遮光部材として、折り曲げた反射シートを平面筐体から延在させ、これを前面筐体の突起状の当接部で抑えることで、洩れ光を抑制するようにしている。しかるに、特許文献１の面状光源装置において、反射シートと導光板とを密着するために、前面筐体を背面筐体に強く押しつけて組み付けると、前面筺体の応力が高くなりすぎて部材の変形等を招く恐れがある。一方、変形等を抑制すべく前面筐体と背面筐体との付勢力を弱めると、反射シートと導光板との密着不良が生じ、光洩れが発生する恐れがある。また、突起部が設けられている場合、背面筐体に内包された反射シートの折り曲げ部分が開いた状態となっていると、前面筐体で反射シートを押さえながら組立てを行う際に、前面筐体の突起部により反射シートの動きが規制され、反射シートを正規の位置に納め、前面筐体を組立てる作業が容易ではないという問題があった。
【０００６】
これに対し特許文献３には、同様な面状光源装置において、前面筐体に当接部と当接部の頂部から前面筐体の側面まで延在させる延在部を設けることで、反射シートを導光板に押しつける構成が開示されている。特許文献３の技術によれば、当接部と当節部の頂部から前面筐体の側面まで延在させる延在部で反射シートを押圧するので、前面筐体の突起部により反射シートの動きが規制されることはなくなるが、平面で反射シートを押圧するので、特許文献２のように決められた当接部で押圧する構成に対して押圧位置がバラツキやすく、特に前面筺体が傾いて取り付いた際には隙間ができやすい。また、組み付け時に作業者が直接視認できないため、寸法バラツキなどによって当接部と反射シートとの間に隙間が生じていても認識できず、光源を発光させて初めて不具合に気づくという問題がある。又、前面筐体と背面筐体とをどこまで係合させて良いか、手の感触からでは作業者がわからないため、作業者間での組み付け誤差が生じやすく、組み付け容易性に劣る。
【０００７】
一方、特許文献４には、複数のＬＥＤ（Light Emitting Diode：発光ダイオード）チップを実装した基板を筐体に取り付けてなる面光源装置が開示されている。特許文献４の構成では、導光板の周囲を、ＬＥＤチップをはめ込む穴を有する反射シートを介在させつつ筐体で囲う必要があるため、構造が複雑となってコスト増を招くこととなる。
【０００８】
本発明は、上記の事情に鑑みてなされたものであって、簡素な構成で、組み付け容易性も確保しつつ、光洩れを有効に抑制できる照明装置を提供することを目的とする。
【課題を解決するための手段】
【０００９】
請求項１に記載の照明装置は、
光源と、
前記光源から出射された光を入射する入射面と、前記入射面から入射した光を出射する第１主面と、前記第１主面に対向し光路偏向手段を形成した第２主面とを有する導光板と、
前記光源と前記導光板を保持する筐体と、
前記筐体と前記導光板の前記第１主面との間に渡って設けられた反射部材と、
前記反射部材と前記導光板との間に配置され、前記第１主面に当接する面を備え，遮光機能を持つ弾性体と、
前記筐体に対して前記反射部材を取り付ける為の保持部材と、を有し、
前記保持部材は、前記弾性体を前記第１主面に対して押圧するように前記反射部材を付勢する付勢部と、前記筐体に係合することによって前記反射シートと前記第１主面との間隔を調整できるようになっている係合部とを有することを特徴とする。
【００１０】
前記保持部材が、前記筐体に係合することによって前記反射シートと前記第１主面との間隔を調整できるようになっている係合部を有するので、部材の寸法バラツキがあっても前記保持部材の係合部を前記筐体に係合するのみで、前記反射部材と前記導光板との間に配置された前記弾性体が部材に合わせて変形してくれるから、組付けが容易にもかかわらず、前記弾性体と前記第１主面との間に隙間ができることを回避して光洩れを有効に抑制できる。「遮光機能を持つ弾性体」としては、株式会社ロジャースイノアックの製品名ＰＯＲＯＮ（登録商標）Ｈシリーズ等を用いることができる。
【００１１】
請求項２に記載の照明装置は、請求項１に記載の発明において、前記光源は、発光部と基板とを有し、前記筐体は、端部が折り曲げられた板材を含み、前記折り曲げられた端部の内側面に前記基板を取り付けており、前記反射部材はシート状であって、その一端側を前記折り曲げられた端部の外側面に取り付けていることを特徴とする。
【００１２】
前記反射部材がシート状であって、その一端側を前記折り曲げられた端部の外側面に取り付けているので、構成が簡素になり、また前記保持部材の係合部を前記筐体に係合するのみで、前記付勢部が適度な付勢力で前記反射部材を付勢するから、これにより組付けが容易にもかかわらず、前記弾性体と前記第１主面との間に隙間ができることを回避して光洩れを有効に抑制できる。
【００１３】
請求項３に記載の照明装置は、請求項１又は２に記載の発明において、前記保持部材は、前記第１主面に沿って延在し前記反射シートを付勢する前記付勢部としての第１面部と、前記第２主面に沿って延在し前記筐体に係合する前記係合部としての第２面部と、前記第１面部と前記第２面部とを連結する連結部とを有することを特徴とする。
【００１４】
これにより前記保持部材を、金属板をプレスすることで形成できるので、安価な照明装置を提供できる。但し、前記保持部材は金属板をプレスする以外の方法で製造されても良い。
【００１５】
請求項４に記載の照明装置は、請求項１〜３のいずれかに記載の発明において、前記弾性体は、前記反射部材に固定されていることを特徴とする。
【００１６】
予め前記弾性体を両面テープ等で前記反射部材に固定しておけば、組付性に優れる。
【００１７】
請求項５に記載の照明装置は、請求項１〜４のいずれかに記載の発明において、前記弾性体と前記導光板との間に、前記導光板から入射した光を反射する反射層を設けたことを特徴とする。
【００１８】
前記弾性体を光吸収率が高い素材から形成した場合、前記導光板の前記第１主面から出射する光の量が少なくなり、出射効率が低下する。一方、前記弾性体を光吸収率が高い素材から形成した場合、前記弾性体からの反射光が増大して、輝線などの不具合を生じさせる恐れがある。そこで、前記弾性体と前記導光板との間に反射層を設けることで、前記弾性体の素材や経時劣化にかかわらず、かかる不具合を回避できる。尚、反射層としては塗装でも良いし反射シートを貼り付けても良い。反射層の反射率は反射シートを用いる場合は、９０％以上、塗装の場合は８０％以上であることが望ましい。反射シート又は反射層の具体例としては、東レ株式会社製の商品名ルミラーや、株式会社きもと製の商品名レフホワイトなどがある。
【００１９】
請求項６に記載の照明装置は、請求項１〜５のいずれかに記載の発明において、前記光源は、複数のＬＥＤチップを含むことを特徴とする。
【００２０】
消費電力の少ないＬＥＤチップを光源として用いることで、省エネ効果の高い照明装置を提供できる。
【００２１】
請求項７に記載の照明装置は、請求項１〜６のいずれかに記載の発明において、前記光路偏向手段は、複数の拡散ドットから形成されてなることを特徴とする。
【００２２】
前記拡散ドットのパターンや密度を調整することで、均一な照度分布を与えることができる。但し、前記光路偏向手段は、拡散ドットに限らず、複数のＶ字もしくは台形溝を前記第１主面もしくは第２主面に設けた構成でも良い。
【発明の効果】
【００２３】
本発明によれば、簡素な構成で、組み付け容易性も確保しつつ、光洩れを有効に抑制できる照明装置を提供することができる。
【図面の簡単な説明】
【００２４】
【図１】（ａ）は、本実施の形態にかかる照明装置１０を組み付け前に下方から見た斜視図であり、（ｂ）は、本実施の形態にかかる照明装置１０を組み付け後に下方から見た斜視図である。
【図２】照明装置１０を組み付けた状態で、導光方向を通る垂直面で切断した図である。
【図３】照明装置１０から、保持部材３２と、反射シート５と、導光板１を取り外した状態で示す斜視図である。
【図４】（ａ）は、組み付け前の照明装置１０を導光方向に切断した図であり、（ｂ）は、組み付け後の照明装置１０を導光方向に切断した図である。
【図５】光源と導光板のみを示す断面図である。
【図６】別な実施の形態にかかる照明装置１０の下方から見た部分斜視図である。
【図７】別な実施の形態にかかる照明装置１０の上方から見た部分斜視図である。
【図８】別な実施の形態にかかる図５と同様な断面図である。
【図９】別な実施の形態にかかる照明装置１０の下方から見た部分斜視図である。
【発明を実施するための形態】
【００２５】
以下に本発明の実施形態を、図面を参照して説明する。図１〜５は、照明装置１０を示す図である。本実施の形態に係る照明装置は、面発光する照射面を備えた照明装置１０であって、例えば、屋内の天井ＣＬ等に取り付けられて、屋内照明として用いられると好適である。この照明装置１０は、図４（ｂ）に示すように、面発光する第１主面１１、および、この第１主面に対向して略平行に延在する第２主面１２を備える矩形状の導光板１と、第１主面１１と第２主面１２とに交差する方向に延在し該導光板１の入射面１３となる対向する側面部に対向して配設される複数の発光素子２と、を備えて、発光素子２が射出する光を、導光板１内に導光して第１主面１１から射出するものである。
【００２６】
導光板１は、図４に示すように平板状であって、第１主面１１を露出するようにして、発光素子２と共にケース（筐体）３に一体的に収容されて構成される。この際、導光板１の第１主面１１の下方に保護シートを配置しても良く、保護シートは拡散機能を有していても良い。金属製のケース３は、導光板１の第２主面１２と入射面１３を囲う本体３１と、本体３１の一辺に装着される保持部材３２とを有する。本体３１は、縁部が折り曲げられた板材からなり、すなわち第２主面１２に対向する上板３１ａと、入射面１３に対して間隔をあけて対向する側板３１ｂとを有する。側板３１ｂの内側面には、発光素子２の基板２１が固定されている。上板３１ａと導光板１との間には、薄板状の反射シート４が挟持されている。反射シート４の端部は、発光素子２の近傍まで延在している。反射シート４を設ける代わりに、本体３１の下面に白色の塗装を施しても良い。
【００２７】
一方、保持部材３２は、金属板をコ字状にプレスして形成されてなり、垂直板（連結部）３２ａと、その上下縁から延在する水平板３２ｂ、３２ｂとからなる。下方の水平板（第１面部）３２ｂが付勢部を構成し、垂直板３２ａ及び上方の水平板（第２面部）３２ｂが係合部を構成する。垂直板３２ａと、本体３１の側板３１ｂとの間には、薄板状の反射シート（反射部材）５の一部が挟持されている。フレキシブルな板状の反射シート５は、導光板１の幅方向全体にわたる寸法を持ち予め中央で折り曲げられた形状を有し、垂直板３２ａと側板３１ｂとの間に挟持された固定部５ａと、固定部５ａの下端から略水平方向に延在する保持部５ｂとからなる。固定部５ａは、垂直板３２ａの高さ方向全範囲に渡っている必要はなく、一部で良い。保持部５ｂの先端と導光板１の第１主面１１との間には、導光板１の幅方向全体にわたる寸法を持つ角柱状の弾性体６が挟持されている。遮光機能を持つ弾性体６は、反射シート５側に接着されていても良い。尚、本実施の形態では、弾性体６と第１主面１１との間には、導光板１側から入射した光を反射して,再び導光板１内に戻す為の反射シート（反射層）７が設けられている。
【００２８】
ケース３に取り付けられた発光素子２は、導光板１の入射面１３の方向に照明光を射出する光源であればよく、例えば、線状の光源（冷陰極管）や入射面１３の長手方向に間隔をおいて配設する複数の点状光源（ＬＥＤ）を用いることができる。また、低消費電力で発光強度が高いＬＥＤを用いることが好ましい。ＬＥＤは、白色ＬＥＤや電球色ＬＥＤが用途によって選択される。また、白色ＬＥＤと電球色ＬＥＤ両方を用い、それぞれの発光量を制御することで調色機能を有することもできる。本実施形態では白色ＬＥＤを用いることとした。ここで、発光素子２に代えてＬＥＤ２として以後説明する。ＬＥＤ２は、ケース３の内側の側壁３１ａに取り付けられる基板２１の長手方向（紙面に垂直な方向）に、直線的に略等間隔（例えば、約１０ｍｍピッチ）で複数配列されている。ＬＥＤ２と基板２１とで光源を構成する。
【００２９】
ＬＥＤ２は、白色ＬＥＤであり、青色ＬＥＤと、青色ＬＥＤからの光に励起されて所定波長の励起光を発光する蛍光体（例えば、黄色蛍光体）を組み合わせて白色発光するものである。また、白色ＬＥＤは、赤色ＬＥＤ、青色ＬＥＤ、緑色ＬＥＤを組み合わせた高演色ＬＥＤを用いてもよい。高演色ＬＥＤを用いることにより、高い色再現性の必要な用途に好適な照明装置を実現することが可能である。
【００３０】
図３に示すように、ケース３の側板３ｂに、ねじＳＣで固定される基板２１は、例えば、入射面１３の長手方向の全幅程度の長さとされ、この基板２１に複数のチップ型のＬＥＤ２を所定ピッチで搭載する。このように、基板２１は、長手方向に一体とされるが、複数の基板に分け、それぞれを電気的に接続する構成としてもよい。基板２１は放熱性を良くするため、両面テープを併用し、ケース３の側板３ｂに密着させることが好ましく、両面テープは熱伝導率の良いものを用いることが望ましい。ねじＳＣを使わず両面テープのみで固定しても良い。また、基板２１は、照明装置外部に配置される電源回路（不図示）と配線により接続され、電気回路に設ける明るさ調整ボタンにより、ＬＥＤに流れる電流を調整することで、照明装置の明るさや発光色を調整可能である。尚、ねじＳＣは基板２１とのショートを防ぐため、樹脂製のねじを用いるか、間に樹脂製のワッシャーを用いることが望ましい。ねじＳＣのねじ頭は、スペーサとして用いても良く、ＬＥＤ２の発光面と入射面１３との間隔を精度良く調整しても良い。
【００３１】
本実施の形態では、図１に示すように、ＬＥＤ２に対向する入射面１３は、導光板１の対向する１つの側面部となっているが、２つ或いは４つの側面部全てを入射面としても良い。但し、いずれかの側面部を入射面１３としない場合、入射面に対向する側面部（図５では対向面１４という）に反射テープ１５を貼り付けることが望ましい。これにより側面部から光が出射して照明に用いられないことを回避できる。又、入射面１３以外の側面部は、保持部材３２に類似な形状の側部カバー３３（図１，３参照）により覆われることが望ましい。側部カバー３３に設けた切欠３３ａは、基板２１を固定するためのねじＳＣ用のナット配置部である。
【００３２】
図５は、ＬＥＤ２から出射した光が導光板１内を導光する状態を示す模式図である。導光板１の第２主面１２上には、光路偏向手段として、例えば、拡散ドット１２ａがプリント等による付与されており、具体的には酸化チタン（ＴｉＯ2）、炭酸カルシウム（ＣａＣｏ3）、各種顔料系インク、または樹脂微粒子等からなるドットである。但し、同様な拡散ドットを印刷したフィルム（シート）を第２主面１２に貼ったり、または、スタンパーやレーザー加工等でドット状に凹部を作成しても良い。
【００３３】
第２主面１２上で、導光光量に従い、拡散ドット１２ａの密度が調整されると好ましい。例えば入射面１３から遠ざかるに従い、導光光量が低下するので、拡散ドット１２ａは、ＬＥＤ２から遠ざかるに従って、その密度が大きくなるように形成されると、出射光の照度分布の均一化を図れるので好ましい。密度を大きくするとは、面積一定でピッチを細かくする事と、ピッチは一定で印刷半径を大きくすることの双方を含む。両方同時に行っても良い。
【００３４】
図５を参照して、本実施の形態の動作について説明する。ＬＥＤ２から出射して、導光板１の入射面１３から入射した光は、全反射しながら導光板１内を導光する。このとき、入射面１３に近い位置の第１主面１１に入射した光は、全反射条件を満たさないので、外部へと出射する恐れがあるが、弾性体６と第１主面１１との間に反射シート７が設けられているので、外部へと出射することがなく、再び導光板１内へと戻される。更に、対向面１４に至った光は、ここで反射して逆方向に導光される。導光途中で、拡散ドット１２ａに入射した光は、種々の方向に拡散する。拡散ドット１２ａで下方に拡散された光は、対向する下面（第１主面１１）に向かい、全反射条件を満足する光は、さらに導光板１内を導光し続けるが、全反射条件から外れた光は、第１主面１１から外部へと射出され照明光となる。一方、拡散ドット１２ａで上方に拡散された光は、第２主面１２から出射して、反射シート４（図５では一部のみ図示）で反射し、再び導光板１内に入射し、第１主面１１を透過して外部へ射出される。
【００３５】
ここで、ＬＥＤ２から出射して斜め上方に向かう光は、反射シート４で反射した後、入射面１３から入射して、その一部が導光板１内を導光される。又、ＬＥＤ２から出射して斜め下方に向かう光は、反射シート５で反射した後、弾性体６に入射して、ここで吸収されるので、洩れ光となることがなく照明の品質が保たれる。
【００３６】
次に、本実施の形態にかかる照明装置１０の製造方法について説明する。図４（ａ）又は図１（ａ）に示すように、ケース３の本体３１の上板３１ａの下面に、反射シート４を介して導光板１を取り付ける。又、本体３１の側板３１ｂの内側に、発光素子２の基板２１を固定する。更に、側板３１ｂの外側に、反射シート５の固定部５ａを接着する。このとき、反射シート５の保持部５ｂの先端には、弾性体６が接着されており、弾性体６の第１主面１１側の面には反射シート７が接着されている。このとき、反射シート５の保持部５ｂは、重力に抗して略水平方向に折り曲げられた状態を維持しているので、保持部材３２の挿入を阻害することがない。
【００３７】
かかる状態で、ケース３に対して側方から保持部材３２を接近させると、上方の水平板３２ｂがケース３の本体３１の上面に係合した後に滑動し、これに沿って下方の水平板３２ｂが、折り曲げられた反射シート５の保持部５ｂを付勢し始め、このとき反射シート５の保持部５ｂをガイドとしてスムーズに挿入を行うことができ、更に保持部５ｂを介して弾性体６を圧縮することとなる。ここで、弾性体６を圧縮することにより、垂直板３２ａの長さばらつきを吸収することができるので、保持部材３２の垂直板３２ａが、反射シート５の固定部５ａに当接する位置にくると、保持部５ｂは第１主面１１とほぼ平行になり、且つ反射シート７が第１主面１１に密着するようになる。保持部材３２は、押圧した弾性体６の反発力に起因する摩擦力にてケース３に固定される。その後、側部カバー３３を側部に取り付け、Ｌ字状の角部カバー３４（図１参照）を角部に取り付けることで、照明装置１０が完成する。尚、側部カバー３３は、保持部材３２の組み付け前に組み付けても良い。
【００３８】
次に、別な実施の形態にかかる照明装置について説明する。図６は、本実施の形態にかかる照明装置１０の下方から見た部分斜視図、図７は、本実施の形態にかかる照明装置１０の上方から見た部分斜視図、図８は、本実施の形態にかかる図５と同様な断面図である。
【００３９】
図８において、本実施の形態にかかる照明装置１０は、保持部材３２’の上方の水平板３２ｂの下面に凸部３２ｃを設けている。かかる凸部３２ｃは、反対面からプレスにより押圧することで容易に成形できる。又、ケース３’の本体３１’の上面に、貫通する孔３１ｃを形成している。図８の矢印に示すように、本体３１’に対して側方から保持部材３２’を接近させると、上方の水平板３２ｂが本体３１’の上面に係合した後に滑動するが、所定位置に来たときに、凸部３２ｃが孔３１ｃに嵌合して、本体３１’に対して保持部材３２’が係止される。これにより、保持部材３２’が本体３１’から不用意に脱落することが抑制される。それ以外の構成は、上述した実施の形態と同様である。
【００４０】
更に、別な実施の形態にかかる照明装置について説明する。図９は、本実施の形態にかかる照明装置１０の下方から見た部分斜視図である。本実施形態で、保持部材３２”より先に組み付けられる側部カバー３３’は、側面に凹部３３ｄを形成している。一方、保持部材３２”は、断面がコ字状ではなく、図１０に示すように、細長い水平板部（付勢部）３２ｄの両端から立ち上がるようにして端部垂直板部３２ｅを形成し、且つ水平板部３２ｄの一側縁から立ち上がるようにして側部垂直板部３２ｆとを有している。端部垂直板部３２ｅの上端は内向きに鈎状に曲がっており、ここに係止部（係合部）３２ｇを形成し、側部垂直板部３２ｆの上端も内向きに鈎状に曲がっており、ここに係止部（係合部）３２ｈを形成している。
【００４１】
組み付け時に、本体３１に対して側方から保持部材３２”を接近させると、一対の端部垂直板部３２ｅが側部カバー３３’の側面を、水平板部３２ｄが反射シート５上を滑動することでガイドされつつ、保持部材３２”が所定位置まで移動し、端部垂直板部３２ｅの係止部３２ｇが、側部カバー３３’の凹部３３ｄに嵌合する。又、側部垂直板部３２ｆの係止部３２ｈは、本体３１の上面に係合する。これにより、本体３１に対して保持部材３２”が固定されることとなる。又、端部垂直板部３２ｅ、側部垂直板部３２ｆの長さがばらついたとしても弾性体６を圧縮することによりばらつきを吸収できるので、係止部３２ｇ、３２ｈが係合したときに、水平板部３２ｄにより付勢された反射シート５の保持部５ｂと第１主面１１とに隙間が発生しない。これにより、有効な遮光がなされる。
【産業上の利用可能性】
【００４２】
本発明は、明細書に記載の実施例に限定されるものではなく、他の実施例・変形例を含むことは、本明細書に記載された実施例や思想から本分野の当業者にとって明らかである。例えば、光路偏向手段は、第２主面において発光素子の基板に対して平行に設けたＶ字状又は台形状の複数の溝であっても良い。又、本発明の照明装置は、看板の裏面側から照明を行う用途に用いられても良い。
【符号の説明】
【００４３】
１            導光板
２            発光素子
３、３’          ケース
４            反射シート
５            反射シート
５ａ            固定部
５ｂ            保持部
６            弾性体
７            反射シート
１０            照明装置
１１            第１主面
１２            第２主面
１２ａ            拡散ドット
１３            入射面
１４            対向面
１５            反射テープ
２１            基板
３１、３１’        本体
３１ａ            上板
３１ｂ            側板
３１ｃ            孔
３２、３２’、３２”    保持部材
３２ａ            垂直板
３２ｂ            水平板
３２ｃ            凸部
３２ｄ            水平板部
３２ｅ            端部垂直板部
３２ｆ            側部垂直板部
３２ｇ            係止部
３２ｈ            係止部
３３、３３’        側部カバー
３３ａ            切欠
３３ｄ            凹部
３４            角部カバー
ＣＬ            天井
【図１】
2014146529.tif 000003
【図２】
2014146529.tif 000004
【図３】
2014146529.tif 000005
【図４】
2014146529.tif 000006
【図５】
2014146529.tif 000007
【図６】
2014146529.tif 000008
【図７】
2014146529.tif 000009
【図８】
2014146529.tif 000010
【図９】
2014146529.tif 000011